(57)【要約】【課題】布製品を低コストで簡単かつ確実に計数することができる計数方法を提供する。【解決手段】計数に用いる所定の厚さを有する計数部材４を備えた布製品２を計数する布製品の計数方法であって、ベース台に対して一端部が取付けられた回収部材に沿って前記布製品の前記計数部材を該計数部材の厚さ方向に積み重ねる工程と、前記回収部材に沿って最後に積み重ねた前記計数部材の位置に対応する前記回収部材に表示された目盛を読み取る工程と、を含む。【選択図】図１
2016115103.tif 000002
【特許請求の範囲】
【請求項１】
計数に用いる所定の厚さを有する計数部材を備えた布製品を計数する布製品の計数方法であって、
ベース台に対して一端部が取付けられた回収部材に沿って前記布製品の前記計数部材を該計数部材の厚さ方向に積み重ねる工程と、
前記回収部材に沿って最後に積み重ねた前記計数部材の位置に対応する前記回収部材に表示された目盛を読み取る工程と、
を含むことを特徴とする布製品の計数方法。
【請求項２】
前記計数部材は、耐圧性、耐熱性及び耐薬品性を有する材料により形成されていることを特徴とする請求項１記載の布製品の計数方法。
【発明の詳細な説明】
【技術分野】
【０００１】
本発明は、布製品の計数方法に関するものである。
【背景技術】
【０００２】
病院では一回の手術に多くのガーゼが消費されるが、手術中にガーゼが患者の体内に取り残されたり、行方不明のガーゼが発生したりしないように、使用前後にガーゼ枚数を計数するガーゼカウントが行われる。
【０００３】
ここで、ガーゼカウントを手作業に頼ると稀に数え間違いが生じる場合があるため、近年、正確にガーゼカウントを行うことが可能なガーゼが開発されている。このようなガーゼの具体例としては、例えば、非接触ＩＣチップを装着した織込み糸を有する手術用ガーゼが知られている（例えば、特許文献１参照）。この手術用ガーゼは、使用済みとなった際に専用の管理装置に収容され、管理装置により非接触ＩＣチップから発信される固有信号が受信されて枚数が計数される。
【先行技術文献】
【特許文献】
【０００４】
【特許文献１】特開２００５−１６０８２５号公報
【発明の概要】
【発明が解決しようとする課題】
【０００５】
しかしながら、上述の手術用ガーゼにおいては、複雑な機能を有する管理装置を用いなければ計数できないという問題があった。このため、手術用ガーゼの枚数を低コストで簡単かつ確実に計数することは困難であった。
【０００６】
本発明の目的は、布製品を低コストで簡単かつ確実に計数することができる計数方法を提供することである。
【課題を解決するための手段】
【０００７】
本発明の計数方法は、計数に用いる所定の厚さを有する計数部材を備えた布製品を計数する布製品の計数方法であって、ベース台に対して一端部が取付けられた回収部材に沿って前記布製品の前記計数部材を該計数部材の厚さ方向に積み重ねる工程と、前記回収部材に沿って最後に積み重ねた前記計数部材の位置に対応する前記回収部材に表示された目盛を読み取る工程と、を含むことを特徴とする。
【０００８】
また、本発明の計数方法は、前記計数部材が、耐圧性、耐熱性及び耐薬品性を有する材料により形成されていることを特徴とする。
【発明の効果】
【０００９】
本発明の計数方法によれば、布製品を低コストで簡単かつ確実に計数することができる。
【図面の簡単な説明】
【００１０】
【図１】第１の実施の形態に係る手術用ガーゼを示す図である。
【図２】第１の実施の形態に係る回収スタンドを示す図である。
【図３】第１の実施の形態に係る回収スタンドに布製品を積み重ねた状態を示す図である。
【図４】第２の実施の形態に係る手術用ガーゼを示す図である。
【図５】第２の実施の形態に係る回収スタンドを示す図である。
【発明を実施するための形態】
【００１１】
以下、図面を参照して第１の実施の形態に係る布製品の計数方法について、病院で手術に使用された使用済みの手術用ガーゼを看護師が計数する場合を例に説明する。図１は、第１の実施の形態に係る手術用ガーゼを示す図である。図１に示すように、手術用ガーゼ２は、綿素材等から成る略正方形状の布製品である。手術用ガーゼ２の一つの隅部には、中央に開口部４ａが形成された円形リング４が取付けられている。
【００１２】
ここで円形リング４は、手術用ガーゼ２の隅部に融着または接着されたものである。このため、円形リング４を形成する部材には、加圧高温処理に耐え得るＰＥＥＫ樹脂、ＰＰＳＵ樹脂等の耐圧性、耐熱性及び耐薬品性を有する材料が使用される。なお、円形リング４は、例えば、３ｍｍ、５ｍｍ、１０ｍｍ等の一定の厚さを有している。
【００１３】
図２は、第１の実施の形態に係る回収スタンドを示す図である。回収スタンド６は、使用済みの手術用ガーゼ２を回収するための装置であり、図２に示すように、ベース８、計数バー１０、蓋１２、支柱１３、ペダル１４、及び開閉機構１５を備えている。
【００１４】
ここで、ベース８は、例えば、鉄やステンレス等から成る所定の重量を有する円盤状の部材であり、床面に配置される。
【００１５】
計数バー１０は、ベース８の略中央部に立設された一方向に長い棒状の部材であり、外周面に目盛が付されている。なお、目盛は、ベース８側から蓋１２側に向けて付されている。
【００１６】
蓋１２は、例えば、ステンレスやプラスチック等から成る円盤状の部材であり、支柱１３によって計数バー１０の上端に位置するように支持される。なお、図２には、閉じた状態の蓋１２が示されている。このように、蓋１２が閉じることにより、人が計数バー１０に倒れ掛かった場合でも、計数バー１０により人がケガをすることがないようにすることができ、安全性の高い回収スタンド６を提供することができる。
【００１７】
ペダル１４は、開閉機構１５を介して蓋１２を開閉する部材であり、ベース８の近傍に備えられている。
【００１８】
なお、回収スタンド６の外周は、ビニール等の図示しない透明部材で覆われている。これにより、後述するように回収スタンド６に使用済みの手術用ガーゼ２を集積させた場合において、集積された手術用ガーゼ２を周囲の環境から隔離した状態に置くことができる。
【００１９】
次に、第１の実施の形態に係る手術用ガーゼ２の具体的な計数方法について説明する。まず、手術において使用済みとなった手術用ガーゼ２が発生すると、看護師は、ペダル１４を踏んで蓋１２を開いた状態にする。
【００２０】
次に、看護師は、計数バー１０の上端に手術用ガーゼ２の円形リング４の開口部４ａの位置を合わせて手術用ガーゼ２から手を放す。手術用ガーゼ２から手が放されると、円形リング４が計数バー１０に沿って落下し、手術用ガーゼ２が回収スタンド６に集積される。次に、看護師は、ペダル１４から脚を外し、蓋１２を閉じた状態にする。
【００２１】
以上の処理が使用済みの手術用ガーゼ２が発生する度に繰り返され、図３に示すように、計数バー１０に沿って円形リング４が積み重ねられる。
【００２２】
次に、手術が終了すると、看護師は、最後に積み重ねられた円形リング４の位置の目盛を目視して読み取ることにより、回収スタンド６に集積された使用済みの手術用ガーゼ２の数を計数する。
【００２３】
次に、看護師は、回収スタンド６に集積された手術用ガーゼ２を回収スタンド６ごと回収し、回収した回収スタンド６に代えて新たな回収スタンド６を配置する。
【００２４】
この第１の実施の形態に係る計数方法によれば、回収スタンド６を用いることにより使用済みの手術用ガーゼ２を簡単かつ確実に計数することができる。また、直接手術用ガーゼ２に接触することなく手術用ガーゼ２の数を計数することが可能なため、看護師が、手術用ガーゼ２に付着した細菌や血液等を媒介とする感染症に罹患するリスクを軽減することができる。
【００２５】
次に、第２の実施の形態に係る布製品の計数方法について説明する。この第２の実施の形態に係る布製品は、第１の実施の形態における手術用ガーゼの隅部に取付けられた円形リング４に代えて球形物を取付け、また、計数バーとして、側壁にスリットを有するパイプ状の部材を用いたものである。そして、計数バーの空洞部に積み重ねられた球形物の個数を計数するようにしたものである。従って、第２の実施の形態では、第１の実施の形態と異なる部分について詳細に説明し、重複する部分については適宜説明を省略する。
【００２６】
図４は、第２の実施の形態に係る手術用ガーゼを示す図である。図４に示すように、手術用ガーゼ２２の一つの隅部には、ビーズ状の球形物２２ａを備えた紐２２ｂが取付けられている。ここで、球形物２２ａには図示しない貫通孔が形成され、貫通孔に紐２２ｂが通されている。また、紐２２ｂの球形物２２ａ側の端部には、球形物２２ａが紐２２ｂから脱抜しないように止め具２２ｃが取付けられている。なお、球形物２２ａは、例えば、３ｍｍ、５ｍｍ、１０ｍｍ等の一定のサイズの直径を有している。
【００２７】
図５は、第２の実施の形態に係る回収スタンドを示す図である。図５に示すように、回収スタンド３６の計数バー３６ｂは、断面中央に空洞部３６ｃが形成されたパイプ状の部材であり、長手方向にスリット３６ａが形成されている。なお、空洞部３６ｃの内壁面の直径は、球形物２２ａの球径よりも大きく形成されている。
【００２８】
次に、第２の実施の形態に係る手術用ガーゼ２２の具体的な計数方法について説明する。まず、手術において使用済みとなった手術用ガーゼ２２が発生すると、看護師は、ペダル１４を踏んで蓋１２を開く。次に、看護師は、手術用ガーゼ２２の球形物２２ａを計数バー３６ｂの上端の空洞部３６ｃの位置に合わせると共に、紐２２ｂの位置を計数バー３６ｂの上端部のスリット３６ａの位置に合わせ、手術用ガーゼ２２から手を放す。手術用ガーゼ２２から手が放されると、図５に示すように、球形物２２ａが計数バー３６ｂに沿って落下し、手術用ガーゼ２２が回収スタンド３６に集積される。次に、看護師は、ペダル１４から脚を外し、蓋１２を閉じる。
【００２９】
以上の処理が手術用ガーゼ２２が使用済になる度に繰り返され、計数バー３６に沿って球形物２２ａが積み重ねられる。
【００３０】
次に、手術が終了すると、看護師は、最後に積み重ねられた球形物２２ａの位置の目盛を目視して読み取ることにより、回収スタンド３６に集積された使用済みの手術用ガーゼ２２の数を計数する。
【００３１】
この第２の実施の形態に係る計数方法によれば、回収スタンド３６を用いることにより使用済みの手術用ガーゼ２２を簡単かつ確実に計数することができる。また、直接手術用ガーゼ２２に接触することなく手術用ガーゼ２２の数を計数することが可能なため、看護師が、手術用ガーゼ２２に付着した細菌や血液等を媒介とする感染症に罹患するリスクを軽減することができる。
【００３２】
なお、上述の第１の実施の形態において、円形リング４は、必ずしも手術用ガーゼ２の隅部に融着される必要はなく、他の手段によって取付けられてもよい。例えば、手術用ガーゼ２の隅部に縫付けられてもよく、また、接着剤によって接着されてもよい。
【００３３】
また、上述の第１の実施の形態において、円形リング４には、加圧高温処理に耐え得るシリコンゴムを用いてもよい。
【００３４】
また、上述の各実施の形態において、看護師は、使用済みの手術用ガーゼの数を計数した場合、手術用ガーゼが集積された計数バーをベース８から取り外してもよい。この場合、看護師は、手術用ガーゼを計数バーごと回収し、回収した計数バーに代えて新たな計数バーをベース８に立設する。
【００３５】
また、上述の第１の実施の形態において、使用済みの手術用ガーゼ２の数を計数した後、手術用ガーゼ２を回収する際に、所定の長さの紐を計数バー１０に取付け、計数バー１０に集積された手術用ガーゼ２を紐に移動させ、回収してもよい。
【００３６】
また、上述の第２の実施の形態において、球形物２２ａをビーズ状に加工された永久磁石で構成し、計数バー３６ｂを非磁性物質で構成してもよい。これにより、複数の手術用ガーゼ２２を回収スタンド３６に集積した際に球形物２２ａ同士が磁力によって互いに引き合い、計数バー３６ｂ内に隙間なく配列される。また、仮に球形物２２ａ同士が互いに反発した場合であっても、新たに積み重ねられた球形物２２ａは、紐２２ｂを軸に回動して磁極の向きを変えて下方に位置する球形物２２ａと引き寄せられ、計数バー３６ｂ内に隙間なく配列される。したがって、看護師は、使用済みの手術用ガーゼ２を更に正確に計数することができる。
【００３７】
また、上述の各実施の形態においては、使用済みの手術用ガーゼを計数する場合を例に説明しているが、計数の対象となる布製品は手術用ガーゼに限定されない。例えば、貸出業者によって飲食店に貸し出されたおしぼり等に円形リング４や球形物２２ａを取付け、計数バーに集積させてもよい。また、貸出業者によって公衆浴場に貸し出されたタオル等に円形リング４や球形物２２ａを取付け、計数バーに集積させてもよい。
【００３８】
また、上述の各実施の形態において、デイサービスセンター等の福祉施設に回収スタンドを備え、福祉施設で使用されたタオル等の布製品を計数するようにしてもよい。この場合、回収スタンドを用いることにより布製品を簡単かつ確実に計数することができるため、効率よく布製品を回収することができる。したがって、例えば、お年寄りが使用済みのタオルをポケット内に入れたまま持ち歩いている場合などに、未回収のタオルがあることを容易に確認することができる。また、回収スタンドを用いることにより直接接触することなくタオルの数を計数することが可能なため、介護職員が、タオルに付着した細菌等を媒介とする感染症に罹患するリスクを軽減することができる。
【００３９】
また、上述の各実施の形態において、動物病院等の施設に回収スタンドを備え、手術用ガーゼ等の布製品を計数するようにしてもよい。この場合、例えば、手術を終えたペットが誤って使用済みの手術用ガーゼを食べたような場合に、獣医等は、未回収の手術用ガーゼがあることを容易に確認し、吐き出させるための処置を検討するなど、早急な対応を行うことができる。また、回収スタンドを用いることにより直接接触することなく手術用ガーゼの数を計数することが可能なため、獣医等は、手術用ガーゼに付着した血液や細菌等を媒介とする感染症に罹患するリスクを軽減することができる。
【符号の説明】
【００４０】
２…手術用ガーゼ、４…円形リング、４ａ…開口部、６、３６…回収スタンド、８…ベース、１０、３６ｂ…計数バー、１２…蓋、１４…ペダル、２２ａ…球形物、２２ｂ…紐、３６ａ…スリット
【図１】
2016115103.tif 000003
【図２】
2016115103.tif 000004
【図３】
2016115103.tif 000005
【図４】
2016115103.tif 000006
【図５】
2016115103.tif 000007